(57)【要約】【課題】  部品、設備費及び工数の削減によるコストダウンを図ること。【解決手段】  ディスクをターンテーブルと同心状に位置決めするためのスライド枠を前段位置と後段位置とに選択的にロックするための連結レバー１４が支軸１５を介して可動枠８に回動可能に配置され、前記支軸１５が、円柱状軸本体５９と、該軸本体５９の一端面に同心状に一体突設したタップタイト６０と、その軸本体５９の他端面に一体形成した軸本体５９よりも大径の頭部６１とを有し、該頭部６１の端面に操作凹部６２が形成されており、軸本体５９に連結レバー１４の支軸孔５１を嵌合させた状態で、操作凹部６２に係合する工具を操作してタップタイト６０を可動枠８の支持孔５０にねじ込む。【選択図】        図１
2012221526.tif 000002
【特許請求の範囲】
【請求項１】
ターンテーブル及び光ピックアップを内部に配置したローダーシャーシに可動枠が回動
可能に枢支され、該可動枠にディスク位置決め片付きスライド枠がスロットイン方向に沿
って前段位置と後段位置との間でスライド可能に取り付けられ、そのスライド枠に連動連
結されて該スライド枠を前段位置と後段位置とに選択的にロックするための連結レバーが
支軸を介して可動枠に回動可能に配置されており、小形ディスクをローダーシャーシ内に
スロットインすると、該小形ディスクがディスク位置決め片に当たるまで送り込まれて前
段位置でターンテーブルと同心状に位置決めされ、大形ディスクをローダーシャーシ内に
スロットインすると、それに連動して連結レバーによるロックが解除され、大形ディスク
によりディスク位置決め片を後段位置までスライドさせて該大形ディスクがターンテーブ
ルと同心状に位置決めされるようにしたディスク装置において、前記連結レバーを支持す
る支軸が、円柱状軸本体と、該軸本体の一端面に同心状に一体突設したタップタイトと、
その軸本体の他端面に一体形成した軸本体よりも大径の頭部とを有し、軸本体に連結レバ
ーの支軸孔を嵌合させた状態で、タップタイトを可動枠の支持孔にねじ込むようにしたこ
とを特徴とするディスク装置。
【請求項２】
前記頭部の端面に操作凹部が形成されており、該操作凹部に係合する工具を操作してタ
ップタイトを可動枠の支持孔にねじ込むようにしたことを特徴とする請求項１に記載のデ
ィスク装置。
【発明の詳細な説明】
【技術分野】
【０００１】
本発明は、例えばＤｉｓｃスロットイン機構方式のＢｌｕ−ｒａｙ  Ｄｉｓｃ式ディス
ク装置（レコーダまたはプレーヤ）に関し、特に、部品、設備費及び工数の削減によるコ
ストダウンを図るようにしたものである。
【背景技術】
【０００２】
図４〜図６はＤｉｓｃスロットイン機構方式のＢｌｕ−ｒａｙ  Ｄｉｓｃ式ディスク装
置を示すものであって、図４は直径８ｃｍの小形ディスクＤａ（及び１２ｃｍの大形ディ
スクＤｂ）のスロットイン状態を示す平面図、図５（ａ）は同状態の中央縦断面図、図５
（ｂ）は同状態の要部の縦断面図、図６（ａ）は同クランプ状態の中央縦断面図、図６（
ｂ）は同状態の要部の縦断面図である。
【０００３】
図４及び図５において、前記ディスク装置は、ボトムシャーシ１Ａと、該ボトムシャー
シ１Ａに被せた蓋板１Ｂとからなるローダーシャーシ１を有し、該ローダーシャーシ１の
前面にディスクＤａ，Ｄｂをスロットインａ及びスロットアウトｂするためのディスク挿
入口２が形成され、ボトムシャーシ１Ａにターンテーブル３付きスピンドルモータ４とガ
イド軸５に沿って移動可能な光ピックアップ６とが配置され、蓋板１Ｂの中央開口部１ａ
内に配置されて該蓋板１Ｂに枢支軸７を中心に矢印ｃ，ｄ方向に回動可能に枢支された可
動枠８が設けられ、ターンテーブル３に対向してクランパ９が可動枠８に一定範囲内移動
可能に取り付けられ、該可動枠８を矢印ｃ方向に引っ張るばね１０が設けられている。
【０００４】
前記可動枠８に長孔１１がスロットインａ方向に沿って貫設され、その可動枠８の裏面
側で長孔１１にスライド可能に係合するスライド枠１２が設けられ、該スライド枠１２に
ディスク位置決め片１２ａが一体突設されている。
【０００５】
前記可動枠８の表面側に連結レバー１４が支軸１５を中心にｅ，ｆ方向に回動可能に配
置され、該連結レバー１４の一端に貫設した長孔状連結孔１６をスライド枠１２に一体突
設した連結片１２ｂに回動可能に嵌合させることにより、連結レバー１４とスライド枠１
２とが連動連結されている。
【０００６】
前記連結レバー１４の他端に支軸１５を中心にして円弧状ロック孔１７が貫設され、該
ロック孔１７の外周側縁の両端に一対のロック溝１７ａ，１７ｂが凹設され、連結レバー
１４を矢印ｆ方向に引っ張るばね１８が設けられている。
【０００７】
前記蓋板１Ｂの表面側にロックレバー２０が支軸２１を中心に矢印ｇ，ｈ方向に回動可
能に配置され、該ロックレバー２０の一端に突設したロックピン２２がロック孔１７から
いずれか一方のロック溝１７ａ（または１７ｂ）に嵌入され、そのロックレバー２０の他
端に突設したロック解除ピン２３が蓋板１Ｂの貫通孔２４を通ってディスク挿入口２内に
挿通され、ロックレバー２０を矢印ｈ方向に引っ張るばね２５が設けられている。
【０００８】
図４及び図５（ｂ）に示すように、前記ローダーシャーシ１内の一側縁に沿ってスライ
ドカム２７が矢印ａ，ｂ方向にスライド可能に配置され、該スライドカム２７の基端側に
貫設したカム溝２８ａと、可動枠８の一側縁に突設されてカム溝２８ａに嵌入するカムピ
ン２８ｂとからなるカム機構２８が設けられている。
【０００９】
図５（ｂ）に示すように、スライドカム２７の先端側に貫設した長孔３０の内側縁にカ
ムラック３１が形成され、該カムラック３１に噛合して駆動モータ（図示せず）により正
逆駆動される駆動ピニオン３２が設けられている。
【００１０】
図４及び図５に示すように、前記ディスク挿入口２に接近して蓋板１Ｂの裏面にガイド
板３４が配置されると共に、該ガイド板３４に対向してボトムシャーシ１Ａ側に揺動フラ
ップ３５が設けられており、該揺動フラップ３５は、板金からなり、矢印ａ，ｂ方向とは
直交する方向に延びて枢支軸３６を中心に矢印ｉ，ｊ方向に揺動可能なフラップ本体３５
ａを有し、該フラップ本体３５ａの基端側にガイドローラ３７が回転可能に配置され、該
ガイドローラ３７をガイド板３４に向けて矢印ｉ方向に付勢するばね３８が設けられ、ガ
イドローラ３７の一端に従動歯車３９が固着されており、図５（ａ）（ｂ）に示すように
、ばね３８によりフラップ本体３５ａの基端側を押し上げてガイドローラ３７を持ち上げ
たときに従動歯車３９が駆動歯車４０（図４参照）に噛合される。
【００１１】
図４〜図６に示すように、フラップ本体３５ａの一側縁から折り曲げた側板３５ｂに係
合ピン４２が一体突設され、該係合ピン４２に対向して前記スライドカム２７の先端縁角
部の切除して傾斜面４３が形成されており、該スライドカム２７を矢印ｂ方向にスライド
させて傾斜面４３で係合ピン４２をばね３８に抗して押し下げることにより、揺動フラッ
プ３５が矢印ｊ方向に押し下げられ、フラップ本体３５ａの先端縁に一体突設したガード
板３５ｃによりディスク挿入口２が塞がれる〔図６（ａ）参照〕。
【００１２】
図４及び図５は小形ディスクＤａのスロットインａ状態を示すものであって、カム機構
２８により可動枠８が枢支軸７回りで矢印ｃ方向に回動され、クランパ９が持ち上げられ
ている。また、揺動フラップ３５がばね３８により矢印ｉ方向に回動されており、ガイド
ローラ３７がガイド板３４に接近または当接され、該ガイドローラ３７の従動歯車３９が
駆動歯車４０に噛合されている。
【００１３】
更に、ばね１８により連結レバー１４が矢印ｆ方向に引っ張られてロックピン２２が一
方のロック溝１７ａに嵌入され、スライド枠１２がターンテーブル３に接近した前段位置
Ａでロックされている。
【００１４】
この状態で、小形ディスクＤａをディスク挿入口２内にスロットインａすると、該小形
ディスクＤａがガイドローラ３７とガイド板３４とで挟まれ、その小形ディスクＤａを検
知する検知信号に基づいて駆動モータ（図示せず）を駆動することにより、駆動歯車４０
及び従動歯車３９を介してガイドローラ３７が正転され、小形ディスクＤａがディスク位
置決め片１２ａに当たるまで送り込まれて前段位置Ａでターンテーブル３と同心状に位置
決めされる。
【００１５】
続いて、図６に示すように、小形ディスクＤａが前段位置Ａに達したことを検知する検
知信号に基づいて駆動モータ（図示せず）を駆動することにより駆動ピニオン３２及びカ
ムラック３１を介してスライドカム２７を矢印ｂ方向にスライドさせ、該スライドカム２
７の傾斜面４３により係合ピン４２を押し下げ、該係合ピン４２がスライドカム２７の下
縁に当接されることにより、揺動フラップ３５がばね３８に抗して矢印ｊ方向に回動され
、ガイドローラ３７が小形ディスクＤａから離間され，従動歯車３９が駆動歯車４０から
離間される。
【００１６】
スライドカム２７を矢印ｂ方向にスライドさせることにより、カム機構２８を介して可
動枠８が矢印ｄ方向に回動されることにより、クランパ９とターンテーブル３とで小形デ
ィスクＤａがクランプされ〔図６（ａ）参照〕、その小形ディスクＤａからディスク位置
決め片１２ａがわずかな間隔をおいて離間される。その後、スピンドルモータ４によりタ
ーンテーブル３を介して小形ディスクＤａが高速回転され、光ピックアップ６によりその
小形ディスクＤａに記録されている情報を読み取る。
【００１７】
小形ディスクＤａをスロットアウトｂする場合は、上記とはほぼ逆の手順で行われるの
で、その説明を省略する。
【００１８】
図４に二点鎖線で示すように、大形ディスクＤｂをディスク挿入口２内にスロットイン
ａすると、その大形ディスクＤｂの外周縁がロック解除ピン２３に押し付けられてロック
レバー２０を矢印ｇ方向に回動させ、ロックピン２２が一方のロック溝１７ａから離脱さ
れ、スライド枠１２のロックが解除される。続いて、スロットインａした大形ディスクＤ
ｂによりディスク位置決め片１２ａが押されてスライド枠１２が前段位置Ａから後段位置
Ｂまでスライドされ、それに連動して連結レバー１４が矢印ｅ方向に回動され、ロックピ
ン２２が他方のロック溝１７ｂに嵌入され、スライド枠１２が後段位置Ｂでロックされ、
ディスク位置決め片１２ａにより大形ディスクＤｂがターンテーブル３と同心状態に位置
決めされる。以後は、小形ディスクＤａの場合と同様の手順で、大形ディスクＤｂがクラ
ンプされ、光ピックアップ６によりその大形ディスクＤｂに記録されている情報を読み取
る。
【００１９】
従来、図７及び図８に示すように、前記連結レバー１４を回動可能に支持する支軸１５
は、円柱状軸本体４５と、該軸本体４５よりも小径でその軸本体４５の端面に同心状に一
体突設した円柱状突起部４６とからなり、軸本体４５の外周面に環状溝４７が形成され、
該環状溝４７に係脱可能に係合するカットワッシャー４８を有している。
【００２０】
図７〜図９に示すように、可動枠８の支軸取付箇所をプレス成形して円形支持台４９が
形成され、該支持台４９の支持面４９ａが可動枠８の外周面よりもわずかに突出され、そ
の円形台４９の中央に突起部４６の外径ｒ１よりも若干大きい内径ｒ２（ｒ１＜ｒ２）の
円形支持孔５０が貫設されている。
【００２１】
支軸１５の取付手順を説明すると、図９（ａ）に示すように、突起部４６を支持孔５０
に挿入し、図９（ｂ）に示すように、カシメ機で加圧Ｐすることにより、突起部４６をカ
シメて支持孔５０に固着し、支軸１５の軸心Ｏが支持面４９ａに対して垂直状態になるよ
うに、該支軸１５を支持台４９上に起立させる。
【００２２】
連結レバー１４を取り付ける場合には、図８に示すように、連結レバー１４の支軸孔５
１を軸本体４５に嵌合させ、環状溝４７にカットワッシャー４８を嵌合させる。なお、関
連する技術として特許文献１に記載したものがある。
【先行技術文献】
【特許文献】
【００２３】
【特許文献１】特開２００９−５４２０８号公報
【発明の概要】
【発明が解決しようとする課題】
【００２４】
上記従来の構成では、連結レバー１４が支軸１５から外れないようにするためにカット
ワッシャー４８を必要としており、その分の部品点数が多く、また、カットワッシャー４
８を嵌合させるための環状溝４７を軸本体４５に形成しており、その環状溝４７の切削加
工に手間がかかり、更に、比較的高価なカシメ機が必要であって、工程数も多いから、コ
ストアップになっている。
【００２５】
しかも、図９（ｂ）に示すように、カシメ機による加圧Ｐを正確に行う必要があるが、
支持孔５０の内径ｒ２が突起部４６の外径ｒ１よりも若干大径（ｒ１＜ｒ２）であること
から、その加圧Ｐの際に、支軸１５が傾くことがあり、その傾きによって、支持孔５０の
垂直軸Ｏａから支軸１５の軸心Ｏがわずかの角度α分ずれるおそれがあり、連結レバー１
４の回動を円滑に行うことができなくなる。
【００２６】
上記のように支軸１５が傾いたまま可動枠８の支持孔５０にカシメられた場合には、そ
の支軸１５及び可動枠８を廃棄するしかなく、その支軸１５及び可動枠８の再使用は不可
能であるから、この点でもコストアップになる。
【００２７】
本発明は、上記従来の欠点に鑑み、部品、設備費及び工数の削減によるコストダウンを
図るようにしたディスク装置を提供することを目的としている。
【課題を解決するための手段】
【００２８】
上記目的を達成するため、請求項１に記載の発明は、ターンテーブル及び光ピックアッ
プを内部に配置したローダーシャーシに可動枠が回動可能に枢支され、該可動枠にディス
ク位置決め片付きスライド枠がスロットイン方向に沿って前段位置と後段位置との間でス
ライド可能に取り付けられ、そのスライド枠に連動連結されて該スライド枠を前段位置と
後段位置とに選択的にロックするための連結レバーが支軸を介して可動枠に回動可能に配
置されており、小形ディスクをローダーシャーシ内にスロットインすると、該小形ディス
クがディスク位置決め片に当たるまで送り込まれて前段位置でターンテーブルと同心状に
位置決めされ、大形ディスクをローダーシャーシ内にスロットインすると、それに連動し
て連結レバーによるロックが解除され、大形ディスクによりディスク位置決め片を後段位
置までスライドさせて該大形ディスクがターンテーブルと同心状に位置決めされるように
したディスク装置において、前記連結レバーを支持する支軸が、円柱状軸本体と、該軸本
体の一端面に同心状に一体突設したタップタイトと、その軸本体の他端面に一体形成した
軸本体よりも大径の頭部とを有し、軸本体に連結レバーの支軸孔を嵌合させた状態で、タ
ップタイトを可動枠の支持孔にねじ込むようにしたことを特徴としている。
【００２９】
請求項２に記載の発明は、請求項１に記載の発明において、前記頭部の端面に操作凹部
が形成されており、該操作凹部に係合する工具を操作してタップタイトを可動枠の支持孔
にねじ込むようにしたことを特徴としている。
【発明の効果】
【００３０】
請求項１に記載の発明によれば、支軸の軸本体に連結レバーの支軸孔を嵌合させた状態
で、タップタイトを可動枠の支持孔にねじ込むだけで、該軸本体に一体形成した頭部で連
結レバーが可動枠から外れないようにすることができ、従来のカットワッシャーが不要で
あるから、部品点数が少なく、軸本体にカットワッシャー用環状溝を形成する必要も無く
、工程数も少ないから、コストダウンを図ることができる。
【００３１】
また、支軸のタップタイトを可動枠の支持孔にねじ込んだ際に、該支軸が傾いた場合に
は、そのねじ込みを解除し、再度、タップタイトのねじ込みを行うことにより、その傾き
を解消して支軸を所定通りに起立させることができ、その支軸及び可動枠を従来のように
廃棄することなく再使用することができ、この点でもコストダウンを図ることができる。
【００３２】
請求項２に記載の発明によれば、支軸の頭部の操作凹部に係合してタップタイトをねじ
込むため工具を操作する手段として安価な電動ドライバーを利用でき、高価なカシメ機が
不要であるから、この点でもコストダウンを図ることができる。
【図面の簡単な説明】
【００３３】
【図１】本発明の実施の一形態であるディスク装置の要部の分解斜視図である。
【図２】（ａ）は同要部の縦断面図、（ｂ）はＡ−Ａ矢視図である。
【図３】（ａ）〜（ｃ）は同取付手順を示す説明図である。
【図４】スロットイン状態を示すディスク装置の平面図である。
【図５】（ａ）は同中央縦断面図、（ｂ）は同側部縦断面図である。
【図６】（ａ）は同クランプ状態の中央縦断面図、（ｂ）は同状態の側部縦断面図である。
【図７】従来例を示す要部の分解斜視図である。
【図８】同要部の縦断面図である。
【図９】同取付手順を示す説明図である。
【発明を実施するための形態】
【００３４】
図１〜図３は本発明の実施の一形態であるディスク装置を示すものであり、これはＤｉ
ｓｃスロットイン機構方式のＢｌｕ−ｒａｙ  Ｄｉｓｃ式のレコーダ（またはプレーヤ）
であって、連結レバー１４を回動可能に支持する支軸１５が、円柱状軸本体５９と、該軸
本体５９の一端面に同心状に一体突設したタップタイト６０と、その軸本体５９の他端面
に一体形成した軸本体５９よりも大径の頭部６１とを有し、該頭部６１の端面に操作凹部
６２が形成されている。上記以外の構成は図４〜図６に示す構成とほぼ同じであるから、
同一部分に同一符号を付してその説明を省略する。
【００３５】
前記タップタイト６０は、図２（ｂ）に示すように、横断面が丸みをおびた三角形に形
成された雄ねじからなり、外周面に３つの角部６０ａを有し、図１に示すように、その外
径ｒ１が可動枠８の支持台４９に貫設した支持孔５０の内径ｒ２よりも若干大きく設定さ
れており（ｒ１＞ｒ２）、該タップタイト６０の各角部６０ａで支持孔５０の内周面にね
じ溝を強制的に形成して強固にねじ込むことができ、各角部６０ａがねじ溝に引っ掛かる
ことにより、ねじ込んだタップタイト６０が緩まない。
【００３６】
前記操作凹部６２は、図１に示すように、十字孔形や六角孔形などの多角孔形に形成さ
れている。
【００３７】
前記支軸１５の取付手順を説明すると、図３（ａ）に示すように、軸本体５９に連結レ
バー１４の支軸孔５１を嵌合させた状態で、電動ドライバーなどで操作される工具６３を
支軸１５の操作凹部６２に係合させ、図３（ｂ）に示すように、タップタイト６０を可動
枠８の支持孔５０にねじ込む。
【００３８】
上記タップタイト６０をねじ込んだときに、軸本体５９が傾いて、支持孔５０の軸心Ｏ
ａから軸本体５９の軸心Ｏがわずかの角度α分ずれた場合には、ねじ込みを解除し、再度
、タップタイト６０のねじ込みを行って、図３（ｃ）に示すように、軸本体５９の軸心Ｏ
が可動枠８に対して垂直状態になるように起立させる。
【００３９】
上記構成によれば、支軸１５の軸本体５９に連結レバー１４の支軸孔５１を嵌合させた
状態で、タップタイト６０を可動枠８の支持孔５０にねじ込むだけで、該軸本体５９に一
体形成した頭部６１で連結レバー１４が可動枠８から外れないようにすることができ、従
来のカットワッシャー４８（図７参照）が不要であるから、部品点数が少なく、軸本体５
９にカットワッシャー用環状溝４７（図７参照）を形成する必要も無く、工程数も少ない
から、コストダウンを図ることができる。
【００４０】
また、支軸１５のタップタイト６０を可動枠８の支持孔５０にねじ込んだ際に、該支軸
１５が傾いた場合には、そのねじ込みを解除し、再度、タップタイト６０のねじ込みを行
うことにより、その傾きを解消して支軸１５を所定通りに起立させることができ、その支
軸１５及び可動枠８を従来のように廃棄することなく再使用することができ、この点でも
コストダウンを図ることができる。
【００４１】
更に、支軸１５の頭部６１の操作凹部６２に係合してタップタイト６０をねじ込むため
工具６３を操作する手段として安価な電動ドライバーを利用でき、高価なカシメ機が不要
であるから、この点でもコストダウンを図ることができる。
【符号の説明】
【００４２】
１              ローダーシャーシ
１Ａ            ボトムシャーシ
１Ｂ            蓋板
１ａ            蓋板の中央開口部
２              ディスク挿入口
３              ターンテーブル
６              光ピックアップ
８              可動枠
１４            連結レバー
１５            支軸
５０            支持孔
５１            支軸孔
５９            軸本体
６０            タップタイト
６１            頭部
６２            操作凹部
６３            工具
Ｄａ，Ｄｂ      ディスク
ａ              スロットイン
ｂ              スロットアウト
【図１】
2012221526.tif 000003
【図２】
2012221526.tif 000004
【図３】
2012221526.tif 000005
【図４】
2012221526.tif 000006
【図５】
2012221526.tif 000007
【図６】
2012221526.tif 000008
【図７】
2012221526.tif 000009
【図８】
2012221526.tif 000010
【図９】
2012221526.tif 000011